(57)【要約】【課題】  一つのコンセントから地震時等に作動を停止すべき機器と継続作動すべき機器とへ選択的に電源を供給できるようにする。【解決手段】  外部環境変動によりＯＮ、ＯＦＦ作動するスイッチ２１と、スイッチ２１の作動に連動して出力の可能状態と遮断状態とに切り替わる第１の出力端子部１３、１４と、スイッチ２１の作動に連動することなく常時出力可能である第２の出力端子部１２とを備えてなるコンセント。【選択図】  図２
2006269396.tif 000002
【特許請求の範囲】
【請求項１】
外部環境変動によりＯＮ、ＯＦＦ作動するスイッチと、
前記スイッチの作動に連動して出力の可能状態と遮断状態とに切り替わる第１の出力端子部と、
前記スイッチの作動に連動することなく常時出力可能である第２の出力端子部と、
を備えてなることを特徴とするコンセント。
【発明の詳細な説明】
【技術分野】
【０００１】  この発明は地震、火事等の災害時に電気機器を安全に使用できるようにするコンセントに関する。
【背景技術】
【０００２】  例えば、地震の発生時にはガス機器を消したり、電気ストーブやトースター等の電気機器の電源を切って安全を図る。電気機器の電源を切るには機器のスイッチを切ったりコンセントを抜いたりして行なうが、機器が複数ある場合には手間がかかり、地震により部屋内に家具等が散乱した場合はそれら作業は困難となる。ブレーカーを切ることでそれら電気機器の電源をまとめて切ることもできるが、地震時等において冷静に高い位置にあるブレーカーを切るのは困難な問題がある。【０００３】  そこで、最近においては地震の振動により内部回路が自動的に遮断されて、接続される機器の作動が自動的に停止されるコンセントが開発されている。
【発明の開示】
【発明が解決しようとする課題】
【０００４】  しかしながら、上記コンセントに、例えば、電気ストーブと介護用ベットとが接続使用されている場合、地震時に介護用ベットまで電源が切れてしまって困る問題がある。したがって、各部屋に通常のコンセントと上記の遮断機能を有するコンセントとの両方を設けて機器に対応して使い分けることとなる。そのように２種類のコンセントを設けるのは、コンセントの取り付け、それに伴う配線作業に手間がかかり、また、取り付け費用も高くなる問題があった。
【課題を解決するための手段】
【０００５】  この発明は上記の事情に鑑みて行なったもので、一つのコンセントから地震時等に作動を停止すべき機器と継続作動すべき機器とへ選択的に電源を供給できるようにすることを目的とする。【０００６】  上記目的を達成するため、この発明では  外部環境変動によりＯＮ、ＯＦＦ作動するスイッチと、前記スイッチの作動に連動して出力の可能状態と遮断状態とに切り替わる第１の出力端子部と、前記スイッチの作動に連動することなく常時出力可能である第２の出力端子部とを備えてなることを特徴とするコンセントを提供する。【０００７】  この発明の構成によれば、スイッチの作動に連動して出力の可能状態と遮断状態とに切り替わる第１の出力端子部にヒータ等の地震時等に作動を停止させるべき電気機器を、スイッチの作動に連動することなく常時出力可能である第２の出力端子部に介護機器等の地震時等に作動を継続させるべき電気機器を接続使用できる。【０００８】  外部環境変動によりＯＮ、ＯＦＦ作動するスイッチとして、振動に対応する振動感知スイッチを用いることで地震対応のコンセントが得られ、バイメタルや熱ヒューズを使用する熱対応スイッチを用いることで熱対応のコンセントが得られる。また、出力端子部は差し込みとされてそこに直接に電気機器が接続されてもよく、また、接続端子とされそこに新たなコンセントが接続されるようにして用いられてもよい
【発明の効果】
【０００９】  この発明によれば、一つのコンセントから地震時等に作動を停止すべき機器と継続作動すべき機器とへ選択的に電源を供給できるようになり、これにより、簡略なコンセントの使用形態において安全かつ便利に各種電気機器を使用できるようになる。
【発明を実施するための最良の形態】
【００１０】  図１はこの発明のコンセントの前面図、図２は同回路構成図である。コンセント１は壁面取り付け用で前面のカバー部２面に３個の差し込み３、４、５が並設され、その上部には青と赤のＬＥＤランプ７、８、復帰ボタン９、下部にテストボタン１０のそれぞれが設けられている。差し込み３、４、５の内部にはそれぞれに対応して出力端子部１２、１３、１４のそれぞれが設けられ、出力端子部１２がこの発明の第２の出力端子部を、１３、１４がこの発明の第１の出力端子部を構成する。【００１１】  １５は電源の入力端子部であり、その一方の端子１５ａが出力端子部１２、１３、１４それぞれの一方の端子１２ａ、１３ａ、１４ａそれぞれに直接に接続され、他方の端子１５ｂは出力端子部１２の一方の端子１２ｂに直接に、出力端子部１３、１４それぞれの一方の端子１３ｂ、１４ｂそれぞれに切り替えスイッチ１７を介して接続されている。ＬＥＤランプ７、８は切り替えスイッチ１７の作動に連動して入力端子部１５から選択的に電源が与えられるように設けられている。５０、５１のそれぞれは電流制限用抵抗、５２、５３のそれぞれは整流用ダイオードである。２０は電磁石、２１はこの発明の外部環境変動によりＯＮ、ＯＦＦ作動するスイッチとしての振動感知スイッチであり、電磁石２０は振動感知スイッチ２１がＯＮした際に入力端子部１５から電源が与えられることで作動する。【００１２】  図３は上記振動感知スイッチ２１の構成を示し、一方の接点金具２１ａが自由状態に揺動可能に垂下配置され、他方の環状の接点金具２１ｂがその一方の接点金具２１ａに離間する状態に外嵌配置されて構成され、一定以上の振動により一方の接点金具２１ａが揺動変位して他方の接点金具２１ｂに接触した際にＯＮするようになっている。２２はテストボタン１０に連動する変位用レバーである。【００１３】  図４により上記切り替えスイッチ１７、電磁石２０部分連動構成について説明する。３０は切り替えスイッチ１７の作動体でフレキシブルな電源ライン３３が接続されるとともに、電源ライン接点３１とＬＥＤライン接点３２が付設されている。電源ライン接点３１、ＬＥＤライン接点３２のそれぞれには電源ライン接点３４、ＬＥＤライン接点３７それぞれが対応配置されている。４０は移動体で作動体３０に嵌め合わされ作動体３０と一体に矢印Ａ方向に移動可能に設けられている。３６は移動体４０を常時矢印Ｂ方向に付勢するバネであり、また、移動体４０には上記リセットボタン９が一体に設けられている。３４は移動体３２の移動制限ストッパーである。【００１４】  ３５は移動体４０の位置決めレバーであり、一端側近傍の軸支部３９が軸支されることで回動可能に設けられ、他端側の上部には移動体４０の位置決め凹部３８に係合する位置決め凸部４１が一体に設けられている。位置決めレバー３５は一端側がバネ４２により常時矢印Ｃ方向付勢され、これにより位置決め凸部４１の位置決め凹部３８への係合状態が維持される。また、位置決めレバー３５の他端側下面に相対するように上記電磁石２０が配置されている。【００１５】  以下、上記コンセント１の使用に伴う動作を説明する。通常時においては、切り替えスイッチ１７と電磁石２０部分は図３の状態で、電源ライン接点３１、３４が互いに接触し切り替えスイッチ１７は閉じた状態となっている。したがって、出力端子部１３、１４にも出力端子部１２と同様に入力端子部１５からの電源が同様に与えられている。また、この状態においてはＬＥＤライン接点３２、３７が互いに接触して電源が与えられることで青色のＬＥＤランプ７が点灯する。青色のＬＥＤランプ７を見ることでこのコンセント１に電源が与えられていること、さらに、差し込み３とともに差し込み４、５が使用可能であることが認識できる。【００１６】  地震等があって振動感知スイッチ２１において接点金具２１ａが揺れて接点金具２１ｂに接触してＯＮし電磁石２０が作動すると、位置決めレバー３５の他端側がバネ４２の力に抗して吸引されることで引き下げられる。これにより係止凸部４１が係止凹部３８から外れることで移動体４０はバネ３６の力によりＢ方向に移動されて電源ライン接点３１、３４は離反し、スイッチ１７は図２において破線で示すように開いた状態となる。その結果、出力端子部１３、１４には電源が与えられなくなり、そこに接続されるヒーター等の電気機器の作動が停止される。出力端子部１２には継続して電源が与えられ、そこに接続される介護機器等は作動が可能な状態に維持される。【００１７】  また、この状態においてはＬＥＤライン接点３２、３７が離反することで青色のＬＥＤランプ７が消え、これに変わり赤色のＬＥＤランプ８が点灯する。赤色のＬＥＤランプ８の点灯を見ることでこのコンセント１に電源が与えられていること、さらに、差し込み４、５が使用できないことが認識できる。両方のＬＥＤランプ７、８のが消えた場合にはコンセント１までの回路に損傷があったことが認識できる。【００１８】  地震発生後の差し込み４、５の使用可能状態への復帰は、リセットボタン９をバネ３６の力に抗してＤ方向に押すことで行なう。この状態では振動感知スイッチ２１が復帰していて電磁石２０に他端側が吸引されないことで、位置決めレバー３５は移動体４０の移動に伴ってその他端側が上昇して係止凸部４１が係止凹部３８に係止復帰し、また、電源ライン接点３１、３４が互いに接触するとともにＬＥＤライン接点３２、３７も互いに接触する状態に復帰される。【００１９】  テストボタン１０は地震等の発生時に出力端子部１３、１４への電源供給が確実に遮断されるかどうかのテストを行なうためのもので、このテストボタン１０が押されることで、図３に示すように、連動する変位用レバー２２により接点金具２１ａが強制変位されて接点金具２１ｂに接触し、これにより振動感知スイッチ２１がＯＮされるようになっている。このテストを行ない赤色のＬＥＤランプ８の点灯を見ることで地震時等にコンセント１が正常に遮断機能を果たすことが確認できる。このテストボタン１０使用後の復帰も上記と同様に行なえる。【００２０】  図５はコンセント１の他の実施形態を示し、このものの電気回路構成は上記実施形態のものと同一であるが、電源が遮断可能な出力端子部に対応する差し込み４のみを備え、もう一つの遮断可能な出力端子部と電源が常に遮断されることのない出力端子部とはコンセントの裏側に接続端子として配置されている。このような構成により、��面取り付けのコンセントをさらに増設する際には、そのコンセントへの接続機器を考慮する中で、適宜の接続端子を選択してコンセント１から電源を取り出すことができるようにし、電源が遮断可能なコンセント、電源が遮断されないコンセントを自由に設置できるようにしている。
【図面の簡単な説明】
【図１】  この発明のコンセントの第１の実施形態の前面図
【図２】  この発明のコンセントの第１の実施形態の回路構成図
【図３】  この発明のコンセントの第１の実施形態の要部構成図
【図４】  この発明のコンセントの第１の実施形態の要部構成図
【図５】  この発明のコンセントの第２の実施形態の前面図
【符号の説明】
１    コンセント
１２  出力端子部（第２の出力端子部）
１３  出力端子部（第１の出力端子部）
１４  出力端子部（第１の出力端子部）
２１  振動感知スイッチ（スイッチ）
【図１】
2006269396.tif 000003
【図２】
2006269396.tif 000004
【図３】
2006269396.tif 000005
【図４】
2006269396.tif 000006
【図５】
2006269396.tif 000007